(57)【特許請求の範囲】
【請求項１】
カメラ付き玄関子機及びカメラなし玄関子機の少なくとも一方が接続される室内モニタ親機を有するテレビドアホン装置であって、
前記室内モニタ親機は、前記カメラ付き玄関子機で撮影された映像を表示するモニタと、前記カメラ付き玄関子機またはカメラなし玄関子機からの着信信号及び室内側からのカメラ付き玄関子機の監視指示信号に対応する制御信号を出力する制御手段と、前記カメラ付き玄関子機からの信号が映像信号として正常か異常かを判定して判定結果を前記制御手段に通知する映像入力判定手段と、前記制御手段からの制御信号により前記モニタに電力を供給するモニタ給電手段と、前記制御手段からの制御信号により前記カメラ付き玄関子機を前記モニタに切り替え接続するカメラ切り替え手段と、前記制御手段からの制御信号により前記モニタに切り替え接続された前記カメラ付き玄関子機に電力を供給するカメラ給電手段と、前記制御手段からの制御信号により前記カメラ付き玄関子機またはカメラなし玄関子機からの信号を切り替えて前記映像入力判定手段に入力するドアホン切り替え手段とを備え、前記映像入力判定手段が入力された信号を映像信号として異常と判定した時は前記制御手段が前記モニタ給電手段及び前記カメラ給電手段を制御して前記モニタ及び前記カメラ付き玄関子機への給電を停止することを特徴とするテレビドアホン装置。
【請求項２】
カメラ付き玄関子機及びカメラなし玄関子機の少なくとも一方が接続される室内モニタ親機を有するテレビドアホン装置であって、
前記室内モニタ親機は、前記カメラ付き玄関子機で撮影された映像を表示するモニタと、着信の行なわれた前記カメラ付き玄関子機の映像信号から同期信号のドロップアウトを検出するドロップアウト検出手段と、前記カメラ付き玄関子機またはカメラなし玄関子機からの着信信号及び室内側からのカメラ付き玄関子機の監視指示信号に対応する制御信号を出力するとともに前記ドロップアウト検出手段からの同期信号の一定時間内のカウント値を基に、映像信号が正常状態、着信中の玄関子機からの再着信の状態及び映像信号が異常状態を判定する判定制御手段と、前記判定制御手段からの制御信号により前記モニタに電力を供給するモニタ給電手段と、前記判定制御手段からの制御信号により前記カメラ付き玄関子機を前記モニタに切り替え接続するカメラ切り替え手段と、前記判定制御手段からの制御信号により前記モニタに切り替え接続された前記カメラ付き玄関子機に電力を供給するカメラ給電手段と、前記判定制御手段からの制御信号により前記カメラ付き玄関子機またはカメラなし玄関子機からの信号を切り替えて前記ドロップアウト検出手段に入力するドアホン切り替え手段とを備え、前記判定制御手段は、同期信号の一定時間内のカウント値から映像信号が異常状態と判定した時に、前記モニタ給電手段及び前記カメラ給電手段を制御して前記モニタ及び前記カメラ付き玄関子機への給電を停止することを特徴とするテレビドアホン装置。
【発明の詳細な説明】
【０００１】
【発明の属する技術分野】
本発明は、映像表示する機能を持つインターホンのカメラ付き玄関子機への供給電源と、室内モニタ親機のモニタへの電源の制御を行うテレビドアホン装置に関するものである。
【０００２】
【従来の技術】
従来、カメラなし玄関子機をモニタ親機へ接続する場合は、室内モニタ親機に子機のカメラの有無を設定するスイッチを設け、このスイッチの切り替えによって、カメラ付き玄関子機への供給電源と、モニタ親機の映像表示手段の電源の制御を行っていた。
【０００３】
また、公開特平８−１５４１３２号に示すように、玄関子機と親機との間に玄関子機接続アダプタを設けて、玄関子機のカメラの有無を自動検出するようにしていた。
【０００４】
【発明が解決しようとする課題】
しかしながら、このような従来の方式では、カメラの有無を設定するスイッチの設定を誤ると、カメラなし玄関子機が接続されているのに室内モニタ親機の映像表示手段に電源が供給されてノイズが表示されてしまったり、逆にカメラ付き玄関子機が接続されていても映像が表示されないという問題があった。
【０００５】
更に、インターホンとは無関係の機器を誤って玄関子機として接続した場合には、設定スイッチをカメラ有りで設定してしまうと、接続された機器へ電源が供給されてしまい、機器を破壊するおそれがあった。また、公開特平−１５４１３２号に示すように玄関子機接続アダプタを設ける方法では、コストが高くなってしまう。
【０００６】
本発明は上記の問題を解決するものであり、室内モニタ親機に接続された玄関子機がカメラ付き玄関子機か否かを自動的に判定し、かつカメラ付き玄関子機以外の玄関子機が接続された時は該玄関子機への給電とモニタへの給電を自動的に切断してコストの低減を可能にしたテレビドアホン装置を提供することを目的とする。
【０００７】
【課題を解決するための手段】
この課題を解決するために本発明は、カメラ付き玄関子機及びカメラなし玄関子機の少なくとも一方が接続される室内モニタ親機を有するテレビドアホン装置において、前記室内モニタ親機は、前記カメラ付き玄関子機で撮影された映像を表示するモニタと、前記カメラ付き玄関子機またはカメラなし玄関子機からの着信信号及び室内側からのカメラ付き玄関子機の監視指示信号に対応する制御信号を出力する制御手段と、前記カメラ付き玄関子機からの信号が映像信号として正常か異常かを判定して判定結果を前記制御手段に通知する映像入力判定手段と、前記制御手段からの制御信号により前記モニタに電力を供給するモニタ給電手段と、前記制御手段からの制御信号により前記カメラ付き玄関子機を前記モニタに切り替え接続するカメラ切り替え手段と、前記制御手段からの制御信号により前記モニタに切り替え接続された前記カメラ付き玄関子機に電力を供給するカメラ給電手段と、前記制御手段からの制御信号により前記カメラ付き玄関子機またはカメラなし玄関子機からの信号を切り替えて前記映像入力判定手段に入力するドアホン切り替え手段とを備え、前記映像入力判定手段が入力された信号を映像信号として異常と判定した時は前記制御手段が前記モニタ給電手段及び前記カメラ給電手段を制御して前記モニタ及び前記カメラ付き玄関子機への給電を停止することを特徴とするものである。
【０００８】
これにより、室内モニタ親機に接続された玄関子機がカメラ付き玄関子機か否かを自動的に判定できるとともに、かつカメラ付き玄関子機以外の玄関子機が接続された時は該玄関子機への給電とモニタへの給電を自動的に切断することができる。
【０００９】
【発明の実施の形態】
本発明の請求項１に記載の発明は、カメラ付き玄関子機及びカメラなし玄関子機の少なくとも一方が接続される室内モニタ親機を有するテレビドアホン装置であって、前記室内モニタ親機は、前記カメラ付き玄関子機で撮影された映像を表示するモニタと、前記カメラ付き玄関子機またはカメラなし玄関子機からの着信信号及び室内側からのカメラ付き玄関子機の監視指示信号に対応する制御信号を出力する制御手段と、前記カメラ付き玄関子機からの信号が映像信号として正常か異常かを判定して判定結果を前記制御手段に通知する映像入力判定手段と、前記制御手段からの制御信号により前記モニタに電力を供給するモニタ給電手段と、前記制御手段からの制御信号により前記カメラ付き玄関子機を前記モニタに切り替え接続するカメラ切り替え手段と、前記制御手段からの制御信号により前記モニタに切り替え接続された前記カメラ付き玄関子機に電力を供給するカメラ給電手段と、前記制御手段からの制御信号により前記カメラ付き玄関子機またはカメラなし玄関子機からの信号を切り替えて前記映像入力判定手段に入力するドアホン切り替え手段とを備え、前記映像入力判定手段が入力された信号を映像信号として異常と判定した時は前記制御手段が前記モニタ給電手段及び前記カメラ給電手段を制御して前記モニタ及び前記カメラ付き玄関子機への給電を停止することを特徴とするものである。
【００１１】
これにより、室内モニタ親機に、カメラ付き玄関子機が接続されていない場合に、玄関子機からの信号を映像入力判定手段で受信することにより、カメラ付き玄関子機が接続されていないことを接続機器の設定スイッチなどを設けることなく自動的に判定し、制御手段がカメラ給電手段を制御してカメラ付き玄関子機への供給電源を切断することで、不要な電源の供給停止を自動で行うことができ、カメラ付き玄関子機として他の機器を誤って接続した場合でも、接続された機器が過剰な電源供給によって破壊されることを防止することができる。更に、カメラ付き玄関子機が接続されていないことを判定した場合に、カメラ付き玄関子機のための電源切断と共に、制御手段が室内モニタ親機のモニタ給電手段を制御してモニタへの供給電源を切断し、室内モニタ親機のモニタにノイズが表示されることを防止することができる。また、カメラなし玄関子機が接続されている場合に、室内側から玄関を監視する指示を制御手段が受けると、カメラ付き玄関子機のための電源とモニタの電源を供給し、ドアホン切り替え手段を制御してカメラ付き玄関子機へ一旦接続をするが、カメラ付き玄関子機が接続されていないことを接続機器の設定スイッチなどを設けることなく自動的に判定し、制御手段がカメラ給電手段とモニタ給電手段を制御してカメラ付き玄関子機への供給電源とモニタへの供給電源を切断するとともにドアホン切り替え手段を制御してカメラなし玄関子機へ接続することができる。
【００１２】
本発明の請求項２に記載の発明は、カメラ付き玄関子機及びカメラなし玄関子機の少なくとも一方が接続される室内モニタ親機を有するテレビドアホン装置であって、前記室内モニタ親機は、前記カメラ付き玄関子機で撮影された映像を表示するモニタと、着信の行われた前記カメラ付き玄関子機の映像信号から同期信号のドロップアウトを検出するドロップアウト検出手段と、前記カメラ付き玄関子機またはカメラなし玄関子機からの着信信号及び室内側からのカメラ付き玄関子機の監視指示信号に対応する制御信号を出力するとともに前記ドロップアウト検出手段からの同期信号の一定時間内のカウント値を基に、映像信号が正常状態、着信中の玄関子機からの再着信の状態及び映像信号が異常状態を判定する判定制御手段と、前記判定制御手段からの制御信号により前記モニタに電力を供給するモニタ給電手段と、前記判定制御手段からの制御信号により前記カメラ付き玄関子機を前記モニタに切り替え接続するカメラ切り替え手段と、前記判定制御手段からの制御信号により前記モニタに切り替え接続された前記カメラ付き玄関子機に電力を供給するカメラ給電手段と、前記判定制御手段からの制御信号により前記カメラ付き玄関子機またはカメラなし玄関子機からの信号を切り替えて前記ドロップアウト検出手段に入力するドアホン切り替え手段とを備え、前記判定制御手段は、同期信号の一定時間内のカウント値から映像信号が異常状態と判定した時に、前記モニタ給電手段及び前記カメラ給電手段を制御して前記モニタ及び前記カメラ付き玄関子機への給電を停止するようにしたものであり、室内モニタ親機に、カメラ付き玄関子機が接続されていない場合に、玄関子機からの信号をドロップアウト検出手段で受信し、判定制御手段がドロップアウト検出手段から入力される同期信号の一定時間内のカウント値を基に閾値と比較し、映像信号が異常状態と判定し、カメラ給電手段を制御してカメラ付き玄関子機への供給電源を切断することで、カメラなし玄関子機が接続されている場合の不要な電源の供給停止を自動で行うことができ、玄関子機として他の機器を誤って接続した場合でも、接続された機器が過剰な電源供給によって破壊されることを防止できる。更に、映像信号が異常状態と判定した場合に、カメラ付き玄関子機のための電源切断と共に、判定制御手段が室内モニタ親機のモニタ給電手段を制御してモニタへの供給電源を切断し、室内モニタ親機のモニタにノイズが表示されることを防止することができる。また、カメラなし玄関子機が接続されている場合に、室内側から玄関を監視する指示を判定制御手段が受けると、カメラ付き玄関子機のための電源とモニタの電源を供給し、ドアホン切り替え手段を制御してカメラ付き玄関子機が接続されているものとして一旦接続するが、カメラ付き玄関子機が接続されていないことを接続機器の設定スイッチなどを設けることなく自動的に判定し、判定制御手段がカメラ給電手段とモニタ給電手段を制御して接続されているカメラなし玄関子機への供給電源とモニタへの供給電源を切断するとともにドアホン切り替え手段を制御してカメラなし玄関子機へ接続することができる。
【００１３】
以下、本発明の実施の形態について図１から図３を用いて説明する。
【００１４】
（実施に形態１）
図１は、本発明の実施の形態１におけるカメラドアホン装置の構成を示すブロック図である。図１において、室内モニタ親機１２の子機接続端子１２１〜１２３のいずれか１つには、第１カメラ付き玄関子機１と、第２カメラ付き玄関子機２またはカメラなし玄関子機３のいずれか一台が接続されている。
【００１５】
室内モニタ親機１２は、第１カメラ付き玄関子機１または第２カメラ付き玄関子機２のカメラ１１１または２１１で撮影された映像を表示するモニタ４、このモニタ４に電力を供給するモニタ給電手段５、第１カメラ付き玄関子機１と第２カメラ付き玄関子機２またはカメラなし玄関子機３からの着信信号や室内からの第１カメラ付き玄関子機１または第２カメラ付き玄関子機２の監視指示信号及び後述する映像入力判定手段１０からの判定信号を受信して給電部及び各切替部を制御する制御手段６、制御手段６からの制御信号により第１カメラ付き玄関子機１または第２カメラ付き玄関子機２の接続された子機接続端子１２１及び１２２のいずれかをモニタ４に切り替え接続するカメラ切り替え手段７、制御手段６により制御され、子機接続端子１２１または１２２に接続された第１カメラ付き玄関子機１または第２カメラ付き玄関子機２に電力を供給するカメラ給電手段８、制御手段６からの制御信号によりカメラ切り替え手段７または子機接続端子１２３に切り替え接続するドアホン切り替え手段９、カメラ切り替え手段７及びドアホン切り替え手段９またはドアホン切り替え手段９を介して玄関子機からの映像信号の有無または異常を判定する映像入力判定手段１０を備えている。
【００１６】
この構成において、第１カメラ付き玄関子機１が呼び出しを行うと、制御手段６に第１カメラ付き玄関子機１の着信信号が入力され、その信号を受信した制御手段６はカメラ切り替え手段７を（ａ）  側に切り替え、ドアホン切り替え手段９を（ｃ）  側に切り替える。また、カメラ給電手段８を制御して第１カメラ付き玄関子機１へ電力を供給し、更にモニタ給電手段５を制御してモニタ４へ電力を供給する。
【００１７】
第１カメラ付き玄関子機１からの映像信号はカメラ切り替え手段７とドアホン切り替え手段９を経て映像入力判定手段１０に入力される。映像信号の入力が正常であった場合は、映像入力判定手段１０から制御手段６に映像信号の入力が異常であることの通知は行われない。映像信号の入力が異常である通知を受けなかった制御手段６は、モニタ給電手段５とカメラ給電手段８を制御しないので、モニタ４と第１カメラ付き玄関子機１への電力供給は継続される。またモニタ４には、第１カメラ付き玄関子機１からの映像信号がカメラ切り替え手段７を経て入力されているので、モニタ給電手段５から電力が供給されることにより、第１カメラ付き玄関子機１からの映像が表示される。
【００１８】
室内モニタ親機１２に第２カメラ付き玄関子機２が接続されている場合に、第２カメラ付き玄関子機２が呼び出しを行うと、制御手段６に第２カメラ付き玄関子機２の着信信号が入力され、その信号を受信した制御手段６はカメラ切り替え手段７を（ｂ）  側に切り替え、ドアホン切り替え手段９を（ｃ）  側に切り替える。また、カメラ給電手段８を制御して第２カメラ付き玄関子機２へ電力を供給し、モニタ給電手段５を制御してモニタ４へ電力を供給する。
【００１９】
第２カメラ付き玄関子機２からの映像信号はカメラ切り替え手段７とドアホン切り替え手段９を経て映像入力判定手段１０に入力される。映像信号の入力が正常であった場合は、映像入力判定手段１０から制御手段６に映像信号の入力が異常であることの通知は行われない。映像信号の入力が異常である通知を受けなかった制御手段６は、モニタ給電手段５とカメラ給電手段８を制御しないので、モニタ４と第１カメラ付き玄関子機１への電力供給は継続される。モニタ４には、第２カメラ付き玄関子機２からの映像信号がカメラ切り替え手段７を経て入力されているので、モニタ給電手段５から電力が供給されることにより、第２カメラ付き玄関子機２からの映像が表示される。
【００２０】
室内モニタ親機１２にカメラなし玄関子機３が接続されている場合に、カメラなし玄関子機３が呼び出しを行うと、制御手段６にカメラなし玄関子機３の着信信号が入力され、その信号を受信した制御手段６はカメラ切り替え手段７を（ａ）  側に切り替え、ドアホン切り替え手段９を（ｄ）  側に切り替える。また、カメラ給電手段８を制御してカメラなし玄関子機３への電力の供給を停止し、かつモニタ給電手段５を制御してモニタ４への電力の供給を停止する。
【００２１】
室内モニタ親機１２の第２カメラ付き玄関子機２が接続されるべき箇所に、誤ってカメラなし玄関子機を接続し、このカメラなし玄関子機から呼び出しを行うと、制御手段６にカメラ付き玄関子機２の着信信号が入力され、その信号を受信した制御手段６はカメラ切り替え手段７を（ｂ）  側に切り替え、ドアホン切り替え手段９を（ｃ）  側に切り替える。そして、カメラ給電手段８を制御して接続された玄関子機へ電力を供給し、モニタ給電手段５を制御してモニタ４へ電力を供給するが、映像入力判定手段１０に映像信号は入力されない。
【００２２】
従って、映像入力判定手段１０では映像信号の入力がないことを判定すると、映像入力判定手段１０から制御手段６に映像信号の入力が異常であることを通知する。映像信号の入力が異常である通知を受けた制御手段６では、カメラ給電手段８を制御して電力の供給を停止することで、誤って接続されたカメラなし玄関子機に過剰な電力が供給されることを防止し、かつモニタ給電手段５を制御して電力の供給を停止することでモニタ４にノイズが表示されてしまうことを防止する。
【００２３】
同様に、室内モニタ親機１２の第１カメラ付き玄関子機１が接続されるべき箇所に、誤ってカメラなし玄関子機を接続し、このカメラなし玄関子機から呼び出しを行った場合も、制御手段６は、カメラ給電手段８を制御して電力の供給を停止することで、誤って接続されたカメラなし玄関子機に過剰な電力が供給されることを防止し、モニタ給電手段５を制御して電力の供給を停止することでモニタ４にノイズが表示されてしまうことを防止する。
【００２４】
一方、制御手段６に室内側から玄関子機１により玄関を監視する指示が入力されると、制御手段６はカメラ切り替え手段７を（ａ）  側に切り替え、ドアホン切り替え手段９を（ｃ）  側に切り替える。そして、カメラ給電手段８を制御して第１カメラ付き玄関子機１へ電力を供給し、モニタ給電手段５を制御してモニタ４へ電力を供給する。
【００２５】
第１カメラ付き玄関子機１からの映像信号はカメラ切り替え手段７とドアホン切り替え手段９を経て映像入力判定手段１０に入力される。映像信号の入力が正常であった場合は、映像入力判定手段１０から制御手段６に映像信号の入力が異常であることの通知は行われない。映像信号の入力が異常である通知を受けなかった制御手段６は、モニタ給電手段５とカメラ給電手段８を制御しないので、モニタ４と第１カメラ付き玄関子機１への電力供給は継続される。モニタ４には、第１カメラ付き玄関子機１からの映像信号がカメラ切り替え手段７を経て入力されているので、モニタ給電手段５から電力が供給されることにより、第１カメラ付き玄関子機１からの映像が表示される。
【００２６】
室内モニタ親機１２に第２カメラ付き玄関子機２が接続されている場合に、制御手段６に、室内側から玄関子機２により玄関を監視する指示が入力されると、制御手段６はカメラ切り替え手段７を（ｂ）  側に切り替え、ドアホン切り替え手段９を（ｃ）  側に切り替える。そして、カメラ給電手段８を制御して第２カメラ付き玄関子機２へ電力を供給し、モニタ給電手段５を制御してモニタ４へ電力を供給する。
【００２７】
第２カメラ付き玄関子機２からの映像信号はカメラ切り替え手段７とドアホン切り替え手段９を経て映像入力判定手段１０に入力される。映像信号の入力が正常であった場合は、映像入力判定手段１０から制御手段６に映像信号の入力が異常であることの通知は行われない。映像信号の入力が異常である通知を受けなかった制御手段６は、モニタ給電手段５とカメラ給電手段８を制御しないので、モニタ４と第１カメラ付き玄関子機１への電力供給は継続される。モニタ４には、第２カメラ付き玄関子機２からの映像信号がカメラ切り替え手段７を経て入力されているので、モニタ給電手段５から電力が供給されることにより、第２カメラ付き玄関子機２からの映像が表示される。
【００２８】
室内モニタ親機１２にカメラなし玄関子機３が接続されている場合に、制御手段６に、室内側から玄関子機２により玄関を監視する指示が入力されると、制御手段６はカメラ切り替え手段７を（ｂ）  側に切り替え、ドアホン切り替え手段９を（ｃ）  側に切り替える。そして、カメラ給電手段８を制御して第２カメラ付き玄関子機２へ電力を供給し、モニタ給電手段５を制御してモニタ４へ電力を供給するが、映像入力判定手段１０に映像信号は入力されない。
【００２９】
従って、映像入力判定手段１０では映像信号の入力がないことを判定すると、映像入力判定手段１０から制御手段６に映像信号の入力が異常であることを通知する。映像信号の入力が異常である通知を受けた制御手段６では、ドアホン切り替え手段９を（ｄ）  側に切り替えることでカメラなし玄関子機３と接続することができ、カメラ給電手段８を制御して電力の供給を停止することで、カメラなし玄関子機３に過剰な電力が供給されることを防止し、更にモニタ給電手段５を制御して電力の供給を停止することでモニタ４にノイズが表示されてしまうことを防止する。
【００３０】
（実施の形態２）
図２は、本発明の実施の形態２におけるカメラドアホン装置の構成を示すブロック図である。図１において、室内モニタ親機２３の子機接続端子２３１〜２３３のいずれか１つには、第１カメラ付き玄関子機１３と、第２カメラ付き玄関子機１４またはカメラなし玄関子機１５のいずれか一台が接続されている。
【００３１】
室内モニタ親機２３は、第１カメラ付き玄関子機１３または第２カメラ付き玄関子機１４のカメラ１３１または１４１で撮像された映像を表示するモニタ１６、このモニタ１６に電力を供給するモニタ給電手段１７、第１カメラ付き玄関子機１３と第２カメラ付き玄関子機１４またはカメラなし玄関子機１５からの着信信号や室内からの第１カメラ付き玄関子機１３または第２カメラ付き玄関子機１４の監視指示信号及び後述するドロップアウト検出手段２２からの検出信号を受信して給電部及び各切替部を制御する判定制御手段１８、判定制御手段１８からの制御信号により第１カメラ付き玄関子機１３または第２カメラ付き玄関子機１４の接続された子機接続端子２３１及び２３２のいずれかをモニタ１６に切り替え接続するカメラ切り替え手段１９、判定制御手段１８により制御され、子機接続端子２３１または２３２に接続された第１カメラ付き玄関子機１３または第２カメラ付き玄関子機１４に電力を供給するカメラ給電手段２０、判定制御手段１８からの制御信号によりカメラ切り替え手段１９または子機接続端子２３３に切り替え接続するドアホン切り替え手段２１、カメラ切り替え手段１９及びドアホン切り替え手段２１またはドアホン切り替え手段２１を介して第１カメラ付き玄関子機１３と、ドアホン切り替え手段２１を介してカメラ切り替え手段１９及びカメラなし玄関子機１５にの切り替え接続され、着信の行われたカメラ付き玄関子機の映像信号から同期信号のドロップアウトを検出するドロップアウト検出手段２２を備えている。
【００３２】
ドロップアウト検出手段２２は、着信が行われた玄関子機からの再着信があった場合に同期信号監視時間内にα回以上β回未満の同期信号を出力し、カメラ付き玄関子機からの映像信号が異常であった場合には同期信号監視時間内にβ回以上の同期信号を出力する。そして、判定制御手段１８は、ドロップアウト検出手段２２から入力される同期信号の一定時間内のカウント閾値から、映像信号のない状態、着信中の玄関子機からの再着信の状態及びカメラ付き玄関子機が接続されていない状態を判定する。
【００３３】
図３は、同期信号監視時間経過時の判定制御手段１８の動作手順を示すフローチャートである。
【００３４】
このように構成された本実施の形態２の動作について、図３を参照して説明する。第１カメラ付き玄関子機１３が呼び出しを行うと、判定制御手段１８にカメラ付き玄関子機１３の着信信号が入力され、その信号を受信した判定制御手段１８はカメラ切り替え手段１９を（ｅ）  側に切り替え、ドアホン切り替え手段２１を（ｇ）  側に切り替える。そして、カメラ給電手段２０を制御して第１カメラ付き玄関子機１３へ電力を供給し、モニタ給電手段１７を制御してモニタ１６へ電力を供給する。
【００３５】
第１カメラ付き玄関子機１３からの映像信号はカメラ切り替え手段１９とドアホン切り替え手段２１を経てドロップアウト検出手段に入力される。映像信号の入力が正常であった場合は、ドロップアウト検出手段２２から判定制御手段１８に同期信号監視時間内にβ回以上の同期信号の入力は行われない。同期信号監視時間内にβ回以上の同期信号の入力を受けなかった判定制御手段１８は、モニタ給電手段１７とカメラ給電手段２０を制御しないので、モニタ１６と第１カメラ付き玄関子機１３への電力供給は継続される。モニタ１６には、第１カメラ付き玄関子機１３からの映像信号がカメラ切り替え手段１９を経て入力されているので、モニタ給電手段１７から電力が供給されることにより、第１カメラ付き玄関子機１３からの映像が表示される。
【００３６】
続いて、第１カメラ付き玄関子機１３が再度呼び出しを行うと、判定制御手段１８にはカメラ付き玄関子機１３の着信信号は入力されず、ドロップアウト検出手段２２から判定制御手段１８に同期信号監視時間内にα回以上β回未満の同期信号の入力が行われる。これにより、判定制御手段１８では、同期信号監視時間内にドロップアウト検出手段２２から同期信号の入力がα回以上（ステップＳ１）、β回以上かを判定し（ステップＳ２）、α回以上β回未満の同期信号の入力を判定した判定制御手段１８では、着信中である第１カメラ付き玄関子機１３から再度呼び出しが行われたことを判定し、ステップＳ６でドアホン切り替え手段２１は（ｈ）側でないことを判定した後、カメラ切り替え手段１９を（ｅ）  側のまま保持し、かつドアホン切り替え手段２１を（ｇ）  側のまま保持して、モニタ１６への給電を継続し（ステップＳ７）、第１カメラ付き玄関子機１３への給電を継続し（ステップＳ８）、カメラ付き玄関子機１３の着信中の状態を保持する。
【００３７】
室内モニタ親機２３に第２カメラ付き玄関子機１４が接続されている場合に、第２カメラ付き玄関子機１４が呼び出しを行うと、判定制御手段１８にカメラ付き玄関子機１４の着信信号が入力され、その信号を受信した判定制御手段１８はカメラ切り替え手段１９を（ｆ）  側に切り替え、ドアホン切り替え手段２１を（ｇ）  側に切り替える。そして、カメラ給電手段２０を制御して第２カメラ付き玄関子機１４へ電力を供給し、モニタ給電手段１７を制御してモニタ１６へ電力を供給する。
【００３８】
第２カメラ付き玄関子機１４からの映像信号はカメラ切り替え手段１９とドアホン切り替え手段２１を経てドロップアウト検出手段に入力される。映像信号の入力が正常であった場合は、ドロップアウト検出手段２２から判定制御手段１８に同期信号監視時間内にβ回以上の同期信号の入力は行われない。同期信号監視時間内にβ回以上の同期信号の入力を受けなかった判定制御手段１８は、モニタ給電手段１７とカメラ給電手段２０を制御しないので、モニタ１６と第２カメラ付き玄関子機１４への電力供給は継続される。モニタ１６には、第２カメラ付き玄関子機１４からの映像信号がカメラ切り替え手段１９を経て入力されているので、モニタ給電手段１７０から電力が供給されることにより、第２カメラ付き玄関子機１４からの映像が表示される。
【００３９】
続いて、第２カメラ付き玄関子機１４が再度呼び出しを行うと、判定制御手段１８にはカメラ付き玄関子機２着信信号は入力されず、ドロップアウト検出手段２２から判定制御手段１８に同期信号監視時間内にα回以上β回未満の同期信号の入力が行われる。上記と同様にして、α回以上β回未満の同期信号の入力を受けた判定制御手段１８は、着信中である第２カメラ付き玄関子機１４から再度呼び出しが行われたことを判定し（ステップＳ１、Ｓ２）、カメラ切り替え手段１９を（ｆ）  側のまま保持し、かつドアホン切り替え手段２１を（ｇ）  側のまま保持して、モニタ１６への給電を継続し（ステップＳ７）、第１カメラ付き玄関子機１３への給電を継続し（ステップＳ８）、カメラき玄関子機１４の着信中の状態を保持する。
【００４０】
室内モニタ親機２３にカメラなし玄関子機１５が接続されている場合に、カメラなし玄関子機１５が呼び出しを行うと、判定制御手段１８にカメラなし玄関子機の着信信号が入力され、その信号を受信した判定制御手段１８はカメラ切り替え手段１９を（ｅ）  側に切り替え、ドアホン切り替え手段２１を（ｈ）  側に切り替える。そして、カメラ給電手段２０を制御して電力の供給を停止し、モニタ給電手段１７を制御して電力の供給を停止する。
【００４１】
続いて、カメラなし玄関子機１５が再度呼び出しを行うと、判定制御手段１８にはカメラなし玄関子機の着信信号は入力されず、ドロップアウト検出手段２２から判定制御手段１８に同期信号監視時間内にα回以上β回未満の同期信号の入力が行われる。α回以上β回未満の同期信号の入力を受けた判定制御手段１８は、着信中であるカメラなし玄関子機１５から再度呼び出しが行われたことを判定し、ステップＳ６でドアホン切り替え手段２１は（ｈ）側であると判定した後、カメラ切り替え手段１９を（ｅ）  側のまま保持し、かつドアホン切り替え手段２１を（ｈ）  側のまま保持して、モニタ給電手段１７による給電を停止し（ステップＳ３）、カメラ給電手段２０による給電を停止し（ステップＳ４）、カメラなし玄関子機１５の着信中の状態を保持する。更に、次のステップＳ５において、ドアホン切り替え手段２１を（ｈ）側へ切り替える。
【００４２】
室内モニタ親機２３の第２カメラ付き玄関子機１４が接続されるべき箇所に、誤ってカメラなし玄関子機を接続し、そのカメラなし玄関子機から呼び出しを行うと、判定制御手段１８にカメラ付き玄関子機２着信信号が入力され、その信号を受信した判定制御手段１８はカメラ切り替え手段１９を（ｆ）  側に切り替え、ドアホン切り替え手段２１を（ｇ）  側に切り替える。これにより、カメラ給電手段２０を制御して接続された玄関子機へ電力を供給し、モニタ給電手段１７を制御してモニタ１６へ電力を供給するが、ドロップアウト検出手段２２には映像信号が入力されない。
【００４３】
このとき、映像信号の入力が正常でないので、ドロップアウト検出手段２２から判定制御手段１８に同期信号監視時間内にβ回以上の同期信号の入力が行われる。β回以上の同期信号の入力を受けたことをステップＳ２で判定した判定制御手段１８は、映像信号の入力が異常であることを判定し、モニタ給電手段１７を制御して電力の供給を停止し（ステップＳ３）、これによりモニタにノイズが表示されてしまうことを防止する。また、カメラ給電手段２０を制御して電力の供給を停止し（ステップＳ４）、これにより接続されたカメラなし玄関子機に過剰な電力が供給されることを防止する。
【００４４】
同様に、室内モニタ親機２３の第１カメラ付き玄関子機１３が接続されるべき箇所に、誤ってカメラなし玄関子機を接続し、そのカメラなし玄関子機から呼び出しを行った場合も、判定制御手段１８は、カメラ給電手段２０を制御して電力の供給を停止することで、接続されたカメラなし玄関子機に過剰な電力が供給されることを防止し、モニタ給電手段１７を制御して電力の供給を停止することでモニタにノイズが表示されてしまうことを防止する。
【００４５】
判定制御手段１８に室内側から玄関子機１３により玄関を監視する指示が入力されると、判定制御手段１８はカメラ切り替え手段１９を（ｅ）  側に切り替え、ドアホン切り替え手段２１を（ｇ）  側に切り替える。そして、カメラ給電手段２０を制御して第１カメラ付き玄関子機１３へ電力を供給し、モニタ給電手段１７を制御してモニタ１６へ電力を供給する。
【００４６】
第１カメラ付き玄関子機１３からの映像信号はカメラ切り替え手段１９とドアホン切り替え手段２１を経てドロップアウト検出手段に入力される。映像信号の入力が正常であった場合は、ドロップアウト検出手段２２から判定制御手段１８に同期信号監視時間内にβ回以上の同期信号の入力は行われない。同期信号監視時間内にβ回以上の同期信号の入力を受けなかった判定制御手段１８は、モニタ給電手段１７と、カメラ給電手段２０を制御しないので、モニタ１６と、第１カメラ付き玄関子機１３への電力供給は継続される。モニタ１６には、第１カメラ付き玄関子機１３からの映像信号がカメラ切り替え手段１９を経て入力されているので、電力が供給されることにより、第１カメラ付き玄関子機１３からの映像が表示される。
【００４７】
室内モニタ親機２３に第２カメラ付き玄関子機１４が接続されている場合に、判定制御手段１８に室内側から玄関子機２により玄関を監視する指示が入力されると、判定制御手段１８はカメラ切り替え手段１９を（ｆ）  側に切り替え、ドアホン切り替え手段２１を（ｇ）  側に切り替える。そして、カメラ給電手段２０を制御して第２カメラ付き玄関子機１４へ電力を供給し、モニタ給電手段１７を制御してモニタ１６へ電力を供給する。
【００４８】
第２カメラ付き玄関子機１４からの映像信号はカメラ切り替え手段１９とドアホン切り替え手段２１を経てドロップアウト検出手段に入力される。映像信号の入力が正常であった場合は、ドロップアウト検出手段２２から判定制御手段１８に同期信号監視時間内にβ回以上の同期信号の入力は行われない。同期信号監視時間内にβ回以上の同期信号の入力を受けなかった判定制御手段１８は、モニタ給電手段１７とカメラ給電手段２０を制御しないので、モニタ１６と第２カメラ付き玄関子機１４への電力供給は継続される。モニタ１６には、第２カメラ付き玄関子機１４からの映像信号がカメラ切り替え手段１９を経て入力されているので、モニタ給電手段１７から電力が供給されることにより、第２カメラ付き玄関子機１４からの映像が表示される。
【００４９】
室内モニタ親機２３にカメラなし玄関子機１５が接続されている場合に、判定制御手段１８に室内側から玄関子機２により玄関を監視する指示が入力されると、判定制御手段１８はカメラ切り替え手段１９を（ｆ）  側に切り替え、ドアホン切り替え手段２１を（ｇ）  側に切り替える。これにより、カメラ給電手段２０を制御してカメラ付き玄関子機２のための電力を供給し、モニタ給電手段１７を制御してモニタ１６へ電力を供給するが、ドロップアウト検出手段２２には映像信号が入力されない。
【００５０】
このとき、映像信号の入力が正常でないので、上記と同様に、ドロップアウト検出手段２２から判定制御手段１８に同期信号監視時間内にβ回以上の同期信号の入力が行われる。そして、β回以上の同期信号の入力を受けた判定制御手段１８は、映像信号の入力が異常であることを判定し、カメラ給電手段２０を制御して電力の供給を停止することで、接続されたカメラなし玄関子機に過剰な電力が供給されることを防止し、モニタ給電手段１７を制御して電力の供給を停止することでモニタにノイズが表示されてしまうことを防止し、ドアホン切り替え手段２１を（ｈ）  側に切り替えることでカメラなし玄関子機１５と接続することができる。
【００５１】
【発明の効果】
以上の説明から明らかなように、本発明によれば、映像表示機能付きのインターホンの室内モニタ親機に、カメラ付き玄関子機が接続されていない場合に、カメラ付き玄関子機のための電力を供給して、玄関子機からの信号を受信して映像信号としての異常を判定することにより、カメラ付き玄関子機が接続されていないことを接続機器の設定スイッチなどを設けることなく自動的に判別し、カメラ付き玄関子機への供給電力を切断することで、カメラ付き玄関子機以外の機器を誤って接続した場合でも、接続された機器が過剰な電力供給によって破壊されることを防止することができ、テレビドアホンのコストを低減する効果が得られる。
【００５２】
更に、カメラ付き玄関子機が接続されていないことを判別した場合に、カメラ付き玄関子機のための電源切断と共に、室内モニタ親機の映像表示手段の電源を切断し、室内モニタ親機の映像手段にノイズが表示されることを防止することができる。
【００５３】
また、本発明によれば、カメラなし玄関子機が接続されている場合に、室内側から玄関を監視する指示を判定制御手段が受けると、カメラ付き玄関子機のための電力とモニタの電力を供給し、ドアホン切り替え手段を制御してカメラ付き玄関子機へ一旦接続をするが、カメラ付き玄関子機が接続されていないことを接続機器の設定スイッチなどを設けることなく自動的に判定し、判定制御手段がカメラ給電手段とモニタ給電手段を制御してカメラ付き玄関子機への供給電源とモニタへの供給電源を切断するとともにドアホン切り替え手段を制御してカメラなし玄関子機へ接続することができる。
【図面の簡単な説明】
【図１】本発明の実施の形態１におけるカメラドアホン装置の構成を示すブロック図
【図２】本発明の実施の形態２におけるカメラドアホン装置の構成を示すブロック図
【図３】本発明の実施の形態２における同期信号監視時間経過時の判定制御手段１８の動作手順を示すフローチャート
【符号の説明】
１  第１カメラ付き玄関子機
２  第２カメラ付き玄関子機
３  カメラなし玄関子機
４  モニタ
５  モニタ給電手段
６  制御手段
７  カメラ切り替え手段
８  カメラ給電手段
９  ドアホン切り替え手段
１０  映像入力判定手段
１２  室内モニタ親機
１３  第１カメラ付き玄関子機
１４  第２カメラ付き玄関子機
１５  カメラなし玄関子機
１６  モニタ
１７  モニタ給電手段
１８  判定制御手段
１９  カメラ切り替え手段
２０  カメラ給電手段
２１  ドアホン切り替え手段
２２  ドロップアウト検出手段
２３  室内モニタ親機
【図１】
0003595896.tif 000002
【図２】
0003595896.tif 000003
【図３】
0003595896.tif 000004